(57)【要約】 【課題】字幕が挿入されている映像部分をその字幕と共に順次再生するダイジェスト再生を実現できるようにすることである。 【解決手段】テレビ放送受信部１３によって受信した映像データに重畳されている字幕データが映像データから分離されると共に、この字幕データが挿入される映像部分が字幕部分として順次特定される毎に、ＣＰＵ１は、この字幕部分から字幕データ及び映像データを取得すると共に、この字幕データと映像データとを対応付けてメイン表示部１０から再生表示させる。 【選択図】  図1
2008085946.tif 000002
【特許請求の範囲】
【請求項１】
デジタルデータとしての映像データを順次再生出力する映像再生装置であって、
前記映像データから分離された字幕データに基づいて字幕が挿入される映像データの部分を字幕部分として順次特定する特定手段と、
この特定手段によって字幕部分が順次特定される毎に、この字幕部分から字幕データ及び映像データを取得する取得手段と、
この取得手段によって字幕部分毎に得られた字幕データと映像データを対応付けて再生表示する表示手段と、
を具備したことを特徴とする映像再生装置。
【請求項２】
前記字幕部分毎の映像データは、この字幕部分の動画映像から得られた静止画映像であり、
前記表示手段は、字幕部分毎にその字幕データと共に静止画の映像データを所定時間継続表示する、
ようにしたことを特徴とする請求項1記載の映像再生装置。
【請求項３】
前記字幕データと映像データを継続表示する所定時間は、字幕部分毎にその字幕のデータ量に応じて決定された時間である、
ことを特徴とする請求項２記載の映像再生装置。
【請求項４】
字幕データが重畳されているデジタル放送を受信して動画録画する際に、当該受信内容から映像と字幕とを分離しながら字幕部分を順次特定すると共に、この字幕部分毎にその部分の動画映像から静止画映像を生成し、この静止画映像データに対応してその部分の字幕データを記憶管理しておき、
前記録画内容の再生時に、動画録画の逐次再生に代わって前記字幕部分毎に映像データと字幕データとを読み出して再生表示する、
ようにしたことを特徴とする請求項1記載の映像再生装置。
【請求項５】
前記表示手段は、字幕部分毎にその字幕データと映像データを再生表示する場合に、ユーザ操作によって任意の字幕部分が指定される毎に、指定された字幕部分の字幕データと映像データとを読み出して再生表示する、
ようにしたことを特徴とする請求項1記載の映像再生装置。
【請求項６】
字幕データが重畳されているデジタル放送を受信して動画録画する際に、当該受信内容から映像と字幕とを分離しながら字幕が挿入される映像データの部分を字幕部分として順次特定すると共に、この字幕部分毎にその部分の動画映像の録画位置を特定する情報を記憶管理しておき、
前記録画内容の再生時に、前記字幕部分毎に記憶管理されている録画位置から動画映像を読み出して再生表示する、
ようにしたことを特徴とする請求項1記載の映像再生装置。
【請求項７】
前記動画映像の再生表示中に、再生中止を指示する中止操作が行われた際に、それ以降の字幕部分の字幕データと映像データを読み出して再生表示する、
ようにしたことを特徴とする請求項６記載の映像再生装置。
【請求項８】
字幕データが重畳されているデジタル放送を受信して動画録画する際に、当該受信内容から映像と字幕とを分離しながら字幕が挿入される映像データの部分を字幕部分として順次特定すると共に、この字幕部分毎にその部分の動画映像の録画位置を特定する情報と、当該部分の動画映像から生成した静止画映像をその部分の字幕データに対応付けて記憶管理しておき、
前記録画内容の再生時に、字幕部分毎にその映像データを動画映像として表示する動画表示方式が選択された場合には、字幕部分に対応して記憶されている録画位置特定情報に基づいて前記動画の録画内容から当該部分の動画映像を読み出して再生表示し、静止画映像として表示するかの表示方式が選択された場合には、字幕部分に対応して記憶されている静止画映像を読み出して再生表示する、
ようにしたことを特徴とする請求項1記載の映像再生装置。
【請求項９】
コンピュータに対して、
デジタルデータとしての映像データから分離された字幕データに基づいて字幕が挿入される映像データの部分を字幕部分として順次特定する映像から分離された字幕部分を順次特定する機能と、
字幕部分が順次特定される毎に、この字幕部分から字幕データ及び映像データを取得する機能と、
字幕部分毎に得られた字幕データと映像データを再生表示する機能と、
を実現させるためのプログラム。
【発明の詳細な説明】
【技術分野】
【０００１】
この発明は、デジタルデータとしての映像を順次再生出力する映像再生装置及びプログラムに関する。
【背景技術】
【０００２】
従来、録画内容を再生出力する技術としては、例えば、録画内容から重要シーンを抽出してハイライト再生する技術が知られている（特許文献１参照）。また、番組内容に含まれる字幕をインデックスとした字幕一覧を表示し、この字幕一覧から任意に選択された字幕の対応個所からその映像を再生する技術が知られている（特許文献２参照）。更に、ユーザが任意に指定したキーワードが字幕に含まれている映像にジャンプして再生する技術が知られている（特許文献３参照）。
【特許文献１】特開２００６−１８０３０６号公報
【特許文献２】特開２００４−８０４７６号公報
【特許文献３】特開平１０−２８５５２８号公報
【発明の開示】
【発明が解決しようとする課題】
【０００３】
しかしながら、上述した特許文献１の技術にあっては、録画内容を順次解析し、例えば、音量の大きな部分、動きの大きい映像部分、特定キーワードを含む映像部分を重要シーンとして抽出するものであり、録画解析に時間と消費電力の増大を招く。また、上述した特許文献２及び３の技術にあっては、再生時にユーザが所望する個所にジャンプさせるために字幕部分を利用したもので、再生ジャンプ後は通常の再生動作に戻されるため、次の希望シーンを直ちに視聴したい場合には、ユーザ自らがジャンプ指示を行う必要があり、操作の煩雑化を招く。
【０００４】
この発明の課題は、字幕が挿入されている映像部分をその字幕と共に順次再生するダイジェスト再生を実現できるようにすることである。
【課題を解決するための手段】
【０００５】
請求項１記載の発明は、デジタルデータとしての映像データを順次再生出力する映像再生装置であって、前記映像データから分離された字幕データに基づいて字幕が挿入される映像データの部分を字幕部分として順次特定する特定手段と、この特定手段によって字幕部分が順次特定される毎に、この字幕部分から字幕データ及び映像データを取得する取得手段と、この取得手段によって字幕部分毎に得られた字幕データと映像データを対応付けて再生表示する表示手段とを具備したことを特徴とする。
更に、コンピュータに対して、上述した請求項１記載の発明に示した主要機能を実現させるためのプログラムを提供する（請求項９記載の発明）。
【０００６】
なお、上述した請求項１記載の発明は次のようなものであってもよい。
前記字幕部分毎の映像データは、この字幕部分の動画映像から得られた静止画映像であり、前記表示手段は、字幕部分毎にその字幕データと共に静止画の映像データを所定時間継続表示する（請求項２記載の発明）。
この場合、前記字幕データと映像データを継続表示する所定時間は、字幕部分毎にその字幕のデータ量に応じて決定された時間であってもよい（請求項３記載の発明）。
【０００７】
字幕データが重畳されているデジタル放送を受信して動画録画する際に、当該受信内容から映像と字幕とを分離しながら字幕部分を順次特定すると共に、この字幕部分毎にその部分の動画映像から静止画映像を生成し、この静止画映像データに対応してその部分の字幕データを記憶管理しておき、前記録画内容の再生時に、動画録画の逐次再生に代わって前記字幕部分毎に映像データと字幕データとを読み出して再生表示する（請求項４記載の発明）。
【０００８】
前記表示手段は、字幕部分毎にその字幕データと映像データを再生表示する場合に、ユーザ操作によって任意の字幕部分が指定される毎に、指定された字幕部分の字幕データと映像データとを読み出して再生表示する（請求項５記載の発明）。
【０００９】
字幕データが重畳されているデジタル放送を受信して動画録画する際に、当該受信内容から映像と字幕とを分離しながら字幕が挿入される映像データの部分を字幕部分として順次特定すると共に、この字幕部分毎にその部分の動画映像の録画位置を特定する情報を記憶管理しておき、前記録画内容の再生時に、前記字幕部分毎に記憶管理されている録画位置から動画映像を読み出して再生表示する（請求項６記載の発明）。
この場合、前記動画映像の再生表示中に、再生中止を指示する中止操作が行われた際に、それ以降の字幕部分の字幕データと映像データを読み出して再生表示するようにしてもよい（請求項７記載の発明）。
【００１０】
字幕データが重畳されているデジタル放送を受信して動画録画する際に、当該受信内容から映像と字幕とを分離しながら字幕が挿入される映像データの部分を字幕部分として順次特定すると共に、この字幕部分毎にその部分の動画映像の録画位置を特定する情報と、当該部分の動画映像から生成した静止画映像をその部分の字幕データに対応付けて記憶管理しておき、前記録画内容の再生時に、字幕部分毎にその映像データを動画映像として表示する動画表示方式が選択された場合には、字幕部分に対応して記憶されている録画位置特定情報に基づいて前記動画の録画内容から当該部分の動画映像を読み出して再生表示し、静止画映像として表示するかの表示方式が選択された場合には、字幕部分に対応して記憶されている静止画映像を読み出して再生表示する（請求項８記載の発明）。
【発明の効果】
【００１１】
この発明は、デジタルデータとしての映像データから分離された字幕データに基づいて字幕が挿入される映像データの部分を字幕部分として順次特定する毎に、この字幕部分から字幕データ及び映像データを取得して字幕データと映像データとを対応付けて再生表示することにより、字幕が挿入されている映像部分をその字幕と共に順次再生するダイジェスト再生が可能となり、全体映像を逐次再生しなくても、その全体を容易に把握することが可能となる。
【発明を実施するための最良の形態】
【００１２】
以下、図１〜図１０を参照して本発明の実施例を説明する。
この実施例は、映像再生装置としてテレビ受信機能付きの携帯電話装置に適用した場合を例示したもので、図１は、このテレビ受信録画再生機能付き携帯電話装置の基本的な構成要素を示したブロック図である。
この携帯電話装置には、通話機能、メール機能、インターネット接続機能（Ｗｅｂアクセス機能）などのほか、デジタルテレビ放送を受信するテレビ受信機能、受信したテレビ放送を録画（録音を含む）する録画機能、テレビ放送の録画内容やインターネットなどから外部供給された録画コンテンツを再生出力する再生機能などが備えられている。
【００１３】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図６〜図１０に示す動作手順に応じて本実施例を実現するためのプログラムが格納されており、また、そのデータ領域には、後述する字幕テーブルＴＡ、文字数テーブルＴＢなどが格納されている。外部記録メディア３は、着脱自在な可搬型メモリで、録画コンテンツなど、各種のデータ・プログラムを外部供給するもので、例えば、スマートメディア、ＩＣカードなどによって構成されている。メモリ４は、ワーク領域を有する内部メモリであり、必要に応じてメモリ４内の各種のデータは、記憶部２にセーブされる。
【００１４】
電話通信部５は、無線部を構成するアンテナに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信に符号化したのちに送受信部の送信側に与えられてアンテナから発信出力させる。一方、インターネット接続機能などによって電話通信部５を介して受信取得した映像コンテンツは、表示制御部９を介してＬＣＤ（液晶表示装置）などのメイン表示部１０に与えられて表示出力される。サブ表示部１１は現在日時、簡易なメッセージ、アイコンなどを表示する。
【００１５】
表示部１０は、テレビ放送を高画質に表示可能なＬＣＤ（液晶表示装置）などであり、キー操作部１２は、ダイヤル入力、文字入力、コマンド入力などを行うもので、テレビオン／オフキー、録画開始／停止キーなどが設けられており、ＣＰＵ１は、キー操作部１２からのキー入力信号に応じた処理を実行する。テレビ放送受信部１３は、携帯電話などの携帯受信機向けの地上波デジタルテレビ放送を受信するもので、テレビ映像及び音声情報以外にも電子番組表(ＥＰＧ)なども含めて受信可能となっており、テレビ映像データ及び文字データは、表示部１０から表示出力され、また、テレビ音声データは、サウンドスピーカ１４から出力される。
【００１６】
テレビ放送受信部１３は、図２に示す構成となっている。テレビ放送受信部１３は、テレビアンテナ（図示せず）に接続され、ユーザ操作に応じて受信チャンネルを選局して当該局の放送信号を抽出するチューナ１３Ａと、受信した放送信号をＯＦＤＭ（直交周波数分割多重）復調したり、多重化されている放送信号から映像、音声、データ（文字データ）に分離する多重化信号分離部１３Ｂ、この多重化信号分離部１３Ｂによって分離された映像信号、音声信号、文字信号を解析しながら復号化したり、圧縮データの解凍などを行う映像信号デコーダ部１３Ｃ、音声信号デコーダ部１３Ｄ、文字信号デコーダ部１３Ｅを有する構成となっている。
【００１７】
テレビ放送の予約録画などの録画指示を受けた場合、ＣＰＵ１は、この録画指示に応じて放送受信内容を録画する録画動作を実行し、記憶部２あるいは外部記録メディア３に動画録画ファイルとして格納するようにしている。この場合、字幕付きの放送を受信した場合には、字幕部分以外の受信内容をジャンプして録画するダイジェスト録画が指示されたか、それ以外の通常の録画が指示されたかをチェックし、通常録画が指示された場合には、放送受信内容をそのまま録画する通常録画を実行するが、ダイジェスト録画が指示された場合には、放送受信内容をそのまま録画する通常録画のほか、放送受信内容から字幕部分を特定すると共に、この字幕部分毎にその字幕データ及び映像データを録画対象として字幕テーブルＴＡに順次格納するダイジェスト録画を実行する。このダイジェスト録画では、字幕部分毎にその映像データ（動画映像）から静止画映像を生成して字幕テーブルＴＡに順次格納するようにしている。
【００１８】
スタイル検出センサ１５は、折畳・回転型（２軸型）の装置本体を構成する２つの筐体（表示部側筐体、操作部側筐体）の位置関係に応じて変化する各スタイルを検出可能なもので、スタイル検出センサ１５は、２つの筐体の開閉状態を検出したり、表示部側筐体の回転状態を検出する磁気センサあるいはマイクロスイッチなどであり、ＣＰＵ１は、スタイル検出センサ１５からの各検出信号に基づいて装置本体の４種類のスタイルのうち、現在のスタイルはその何れであるかを判別する。
【００１９】
図３は、装置本体の各スタイルを示した図である。
装置本体は、装置本体を構成する２つの筐体１６、１７の位置関係に応じて装置本体の形態を複数のスタイルに変更可能となっている。すなわち、装置本体は、表示部筐体１６と操作部筐体１７とを開閉軸（横軸）を介して開閉可能に連結されていると共に、回転軸（縦軸）を介して回転可能に連結されており、装置本体を複数の（４種類）のスタイルに変更可能となっている。（Ａ）は、表示部筐体１６と操作部筐体１７とが重なり合って閉じた状態から表示部筐体１６を開いた状態（オープンスタイル）を示し、（Ｂ）は、（Ａ）の状態から表示部筐体１６を１８０°回転させた状態（ビューワスタイル）を示している。
【００２０】
図４は、動画録画ファイルＲＦとそれに対応する字幕テーブルＴＡを説明するための図で、（Ａ）は、字幕テーブルＴＡの内容を示し、（Ｂ）は、動画録画ファイルＲＦの内容を示した図である。
字幕テーブルＴＡは、ダイジェスト録画指示に応じて特定された字幕部分に関する情報を記憶保持するテーブル、言い換えれば、録画内容のダイジェスト再生時に表示されるデータなどを記憶保持するテーブルであり、「録画ファイルＮｏ」のほか、字幕部分毎に「一連Ｎｏ」、「字幕データ」、「静止画映像データ」、「録画位置指定時間」を記憶する構成となっている。「録画ファイルＮｏ」は、通常録画された動画録画ファイルＲＦに対応付けるための録画ファイルＮｏである。「一連Ｎｏ」は、字幕部分毎に付され、初期値“０００１”から始まる一連番号である。「字幕データ」は、字幕部分が特定される毎にその字幕部分に含まれている文字列データである。「静止画映像データ」は、字幕部分が特定される毎にその字幕部分に含まれている動画映像から生成された静止画映像である。
【００２１】
この場合、テレビ放送受信部１３において、受信した映像信号は、動画圧縮方式（ＭＰＥＧ）によって圧縮符号化された信号であり、多重化信号分離部１３Ｂによって放送信号から分離された映像信号をフレーム毎にデコードする際に、映像信号デコーダ部１３Ｃは、特定フレーム、例えば、字幕部分の最初に出現するＩフレーム（１枚の画像が単独圧縮されたフレーム）を抽出して静止画映像を生成するようにしている。この場合、字幕部分に含まれる複数のＩフレームを抽出してもよいが、この実施例では字幕部分の最初に出現するＩフレームを静止画映像として抽出するようにしている。「録画位置指定時間」は、テレビ放送の受信内容の録画開始時に計時動作を開始する録画時間タイマ（図示せず）の計測時間、または映像コンテンツ、地上波デジタルテレビ放送信号内に含まれる表示時刻データから取得される時間であり、新たな字幕部分が特定された際に、この録画時間タイマで計時されたタイマ時間、または映像コンテンツ、地上波デジタルテレビ放送信号内から取得した時間がセットされる。すなわち、この「録画位置指定時間」は、新たに字幕部分が特定される毎に、特定された字幕部分が録画されている動画録画ファイルＲＦ内の録画位置を指定する情報である。
【００２２】
動画録画ファイルＲＦは、テレビ放送受信部１３から受信した放送内容を逐次録画することによって生成されたファイルであり、図４（Ｂ）に示すように、この録画内容は、動画映像データ、音声データ、文字（字幕）データ毎に、対応するデータ領域に区分されて記憶管理されている。また、動画録画ファイルＲＦには、字幕テーブルＴＡとリンクさせるための「録画ファイルＮｏ」が付加されている。
【００２３】
図５は、文字数テーブルＴＢを説明するための図である。
文字数テーブルＴＢは、字幕テーブルＴＡの内容を再生する際に、その再生時間を求める場合に参照されるテーブルであり、「字幕文字数」と「再生時間」とを対応付けて記憶する構成となっている。すなわち、「字幕文字数」が“１〜１０”のときには「再生時間」として“２秒”が設定され、“１１〜２０”のときには “４秒”、“２１〜３０”のときには “６秒”、‥‥、が設定されている。この場合、ＣＰＵ１は、録画再生時に字幕テーブルＴＡの「字幕データ」を構成する文字数を計数し、この計数値（字幕文字数）に基づいて文字数テーブルＴＢを検索して対応する「再生時間」を当該「字幕データ」と「静止画映像データ」の表示時間として決定するようにしている。
【００２４】
次にこの実施例における携帯電話装置の動作概念を図６〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
なお、図６〜図１０は、携帯電話装置の全体動作のうち、本実施例の特徴部分の動作概要を示したフローチャートであり、この図６〜図１０のフローから抜けた際には、全体動作のフロー（図示省略）に戻る。
【００２５】
図６〜図１０は、テレビ起動の指示操作に応じて実行開始されるＴＶアプリケーション処理を示したフローチャートである。
先ず、ＣＰＵ１は、テレビ放送受信部１３を作動させてテレビ放送の受信を開始すると共に、そのデコード処理を開始する（ステップＳ１）。この場合、テレビ放送受信部１３側において、多重化信号分離部１３Ｂは放送信号を映像、音声、文字データに分離し、映像信号デコーダ部１３Ｃ、音声信号デコーダ部１３Ｄ、文字信号デコーダ部１３Ｅは、分離された映像信号、音声信号、文字信号をデコードする動作を開始する。
【００２６】
ここで、ＣＰＵ１は、受信放送は字幕付き放送であるかを判別し（ステップＳ２）、字幕付き放送であれば、字幕付き画面をオープンさせて映像データと字幕データとを並列表示させる動作を開始するが（ステップＳ３）、字幕付き放送でなければ（ステップＳ２でＮＯ）、字幕無し画面をオープンさせて映像データを表示させる動作を開始する（ステップＳ４）。
【００２７】
この状態において、何らかの操作が行われた場合に（ステップＳ５でＹＥＳ）、それは録画指示操作であるか（ステップＳ６）、再生指示操作であるか（ステップＳ７）、テレビ受信の終了指示操作であるかを調べ（ステップＳ８）、その他の操作であれば（ステップＳ８でＮＯ）、この操作に対応する処理として、チャンネル変更処理、音量調整処理、輝度調整処理などが実行されるが（ステップＳ９）、終了指示操作であれば（ステップＳ８でＹＥＳ）、このＴＶアプリケーション処理の終了となる。
【００２８】
いま、テレビ放送の録画指示操作が行われたときには（ステップＳ６でＹＥＳ）、上述と同様に、字幕付き放送か否かを調べ（ステップＳ１０）、字幕付き放送でなければ、放送受信内容を映像データ、音声データなどに分けて録画する通常の録画動作を開始したのち（ステップＳ１１）、録画終了操作が行われるまで（ステップＳ１２）、この通常録画を継続する。いま、録画終了操作に応答して（ステップＳ１２でＹＥＳ）、今回の録画内容を動画録画ファイルＲＦとして記憶部２あるいは外部記録メディア３に記録保存する（ステップＳ１３）。
【００２９】
一方、字幕付き放送に対する録画指示操作であれば（ステップＳ１０でＹＥＳ）、図７のフローに移り、字幕付き放送の通常録画が指示されたのか、字幕付き放送のダイジェスト録画が指示されたのかを調べ（ステップＳ１４）、通常録画が指示されたときには、放送受信内容を映像データ、音声データ、文字（字幕）データに分けて録画する通常録画を開始したのち（ステップＳ１５）、録画終了操作が行われるまで（ステップＳ１６）、この通常録画を継続する。そして、録画終了操作に応答して（ステップＳ１６でＹＥＳ）、今回の録画内容を動画録画ファイルＲＦとして記憶部２あるいは外部記録メディア３に記録保存する（ステップＳ１７）。
【００３０】
また、字幕付き放送に対してダイジェスト録画が指示されたときには（ステップＳ１４でＮＯ）、通常録画を行いながらダイジェスト録画を実行する処理に移る（ステップＳ１８〜Ｓ２５）。すなわち、ＣＰＵ１は、放送受信内容を映像データ、音声データ、文字（字幕）データに分けて録画する通常録画を開始すると共に（ステップＳ１８）、この放送受信内容から分離された文字（字幕）データから字幕有無をチェックする（ステップＳ１９）。
【００３１】
ここで、字幕データ有りを検出したときには、それに同期してデコードされた映像データ（動画映像）から静止画映像を生成するが、その際、字幕検出後において、最初に出現するＩフレームを静止画映像として抽出することによって動画映像から静止画映像のデータを生成する（ステップＳ２０）。そして、今回の字幕検出時に、上述した録画時間タイマ（図示せず）の計測時間を取得し、このタイマ時間を「録画位置指定時間」として求め、この字幕データ、静止画映像データと共に、この録画位置指定時間を字幕テーブルＴＡに記録する（ステップＳ２１）。
【００３２】
この場合、最初は、「一連Ｎｏ」として初期値“０００１”がセットされているので、この「一連Ｎｏ」で示される字幕テーブルＴＡの領域内に、最初に出現した字幕部分の「字幕データ」と「静止画映像データ」が「録画位置指定時間」と共に記録される。そして、字幕テーブルＴＡの「一連Ｎｏ」に“１”を加算してその値を更新したのち（ステップＳ２２）、録画終了を指示する終了操作が行われたかを調べ（ステップＳ２３）、録画終了が指示されるまで、上述のステップＳ１９に戻る。
【００３３】
以下、同様に、新たに出現する字幕データを順次特定し、この字幕部分の「字幕データ」と「静止画映像データ」を「録画位置指定時間」と共に字幕テーブルＴＡに順次記録する（ステップＳ１９〜Ｓ２３）。そして、録画終了操作に応答して（ステップＳ２３でＹＥＳ）、ＣＰＵ１は、今回の通常録画内容を動画録画ファイルＲＦとして記憶部２あるいは外部記録メディア３に記録保持すると共に（ステップＳ２４）、この「録画ファイルＮｏ」を字幕テーブルＴＡに付して当該動画録画ファイルＲＦに対応付けて記録する（ステップＳ２５）。
【００３４】
他方、再生指示操作が行われた場合には（図６のステップＳ７でＹＥＳ）、図８のフローに移り、記憶部２あるいは外部記録メディア３に記録保存されている動画録画ファイルＲＦ毎にそのファイル名を読み出してメニュー表示させる（ステップＳ２６）。このメニュー画面の中から任意の動画録画ファイルＲＦが再生対象として選択されると（ステップＳ２７）、この選択ファイルの「ファイルＮｏ」に該当する字幕テーブルＴＡの有無を調べ（ステップＳ２８）、該当する字幕テーブルＴＡが無ければ、再生対象として選択された動画録画ファイルＲＦの内容を順次読み出して動画再生を開始する（ステップＳ３３）。
【００３５】
この再生動作中において何らかの操作が行われると（ステップＳ３４でＹＥＳ）、再生終了を指示する終了操作であるかを調べ（ステップＳ３５）、その他の操作であれば（ステップＳ３５でＮＯ）、この操作に対応する処理として、例えば、早送り処理、早戻し処理、一時停止処理などの実行するが（ステップＳ３６）、再生終了操作であれば（ステップＳ３５でＹＥＳ）、この時点で再生動作が終了となり、図６のステップＳ５に戻る。
【００３６】
また、再生対象として選択された動画録画ファイルＲＦに字幕テーブルＴＡが対応付けられている場合には（図８のステップＳ２８でＹＥＳ）、スタイル検出部１５をアクセスし、その検出信号に基づいて現在のスタイルを判別する（ステップＳ２９）。ここで、図３（Ｂ）に示した「ビューワスタイル」にセットされている場合には（ステップＳ２９でＹＥＳ）、再生選択メニューを表示出力させる（ステップＳ３０）。このメニュー画面には、「１：動画再生」、「２：静止画ダイジェスト再生」の項目を有し、その中から任意の項目がユーザ選択されると（ステップＳ３１）、「２：静止画ダイジェスト再生」が選択されたかを調べ（ステップＳ３２）、「１：動画再生」のメニュー項目が選択された場合には、上述と同様に、再生対象として選択された動画録画ファイルＲＦの内容を読み出して動画再生を開始する（ステップＳ３３）。
【００３７】
現在のスタイルが「オープンスタイル」の場合（ステップＳ２９でＮＯ）あるいは「ビューワスタイル」であってもメニュー画面の中から「２：静止画ダイジェスト再生」の項目が選択された場合には（ステップＳ３２でＹＥＳ）、図９のフローに移り、メモリ４内の字幕カウンタ（図示せず）を指定してその値をその初期化する（ステップＳ３７）。この字幕カウンタは、字幕テーブルＴＡの「一連Ｎｏ」をキーとしてそれに対応する「字幕データ」と「静止画映像データ」などを読み出すもので、その初期化によってそのカウント値は“０００１”となる。
【００３８】
この状態において、この字幕カウンタの値に基づいて字幕テーブルＴＡをアドレス指定して当該カウンタ値対応の「字幕データ」と「静止画映像データ」を読み出したのち（ステップＳ３８）、この字幕データを構成する文字数を計数すると共に、この計数値（字幕文字数）に基づいて文字数テーブルＴＢを検索し、字幕文字数対応の「再生時間」を決定する（ステップＳ３９）。そして、この「字幕データ」と「静止画映像データ」を対応付けて字幕付き画面に再生表示させる（ステップＳ４０）。なお、この場合の再生時には音声出力は行われない。
【００３９】
このように字幕付き映像のダイジェスト再生を開始したのちにおいては、その再生時間が経過したかを調べる（ステップＳ４１）。ここで、再生時間が経過する前であれば、何らかの操作が行われたかを調べる（ステップＳ４２）。いま、再生時間が経過した場合（ステップＳ４１でＹＥＳ）あるいは再生時間が経過する前に送り操作が行われた場合には（ステップＳ４４でＹＥＳ）、上述の字幕カウンタに“１”を加算してその値を更新したのち（ステップＳ４２）、上述のステップＳ３８に戻る。以下、字幕テーブルＴＡから次の「一連Ｎｏ」に対応する「字幕データ」、「静止画映像データ」を読み出すと共に、その再生時間を決定して再生表示させる（ステップＳ３８〜Ｓ４０）。
【００４０】
また、送り操作以外の操作として、戻し操作が行われた場合には（図１０のステップＳ４５でＹＥＳ）、上述の字幕カウンタ値から“１”を減算したのち（ステップＳ５２）、図９のステップＳ３８に戻り、一つ前の「一連Ｎｏ」に対応する「字幕データ」、「静止画映像データ」を読み出すと共に、その再生時間を決定して再生表示させる（ステップＳ３８〜Ｓ４０）。また、送り操作以外の操作として、一時停止操作が行われた場合には（図１０のステップＳ４６でＹＥＳ）、一時停止が再操作されて停止状態が解除されるまで待ち状態となり（ステップＳ５３）、現在の表示内容を継続表示させるが、一時停止状態において再操作が行われると（ステップＳ５３でＹＥＳ）、上述の字幕カウンタに“１”を加算してその値を更新したのち（ステップＳ５４）、図９のステップＳ３８に戻る。
【００４１】
また、送り操作以外の操作として、動画再生を指示する操作が行われた場合には（図１０のステップＳ４７でＹＥＳ）、字幕テーブルＴＡから字幕カウンタ値対応の「録画位置指定時間」を読み出し（ステップＳ４８）、この字幕テーブルＴＡに対応付けられている動画録画ファイルＲＦをアクセスし、「録画位置指定時間」に対応する動画録画ファイルＲＦの位置から動画映像データを順次読み出して再生する動画再生を開始する（ステップＳ４９）。この動画再生は、中止操作が行われるまで継続される（ステップＳ５０）。
【００４２】
このように動画映像が順次再生表示されている状態において、中止操作が行われると（ステップＳ５０でＹＥＳ）この中止位置以降の「録画位置指定時間」を字幕テーブルＴＡから読み出し、この「録画位置指定時間」に対応する「一連Ｎｏ」を字幕カウンタにセットしたのちに（ステップＳ５１）、図９のステップＳ３８に戻る。以下、再生終了が指示されるまで上述の動作が繰り返される。
【００４３】
以上のように、この実施例においては、テレビ放送受信部１３によって受信した映像データに重畳されている字幕データが映像データから分離されると共に、この字幕データが挿入される映像部分が字幕部分として順次特定される毎に、ＣＰＵ１は、この字幕部分から字幕データ及び映像データを取得すると共に、この字幕データと映像データとを対応付けてメイン表示部１０から再生表示することにより、字幕が付いている部分の映像を字幕と共に順次再生するダイジェスト再生が可能となり、全体映像を逐次再生しなくても、その全体を容易に把握することが可能となる。この場合、録画内容自体を解析することによって重要部分を特定するのではなく、映像から分離された文字から字幕部分を特定することによってその特定を迅速かつ正確に行うことが可能となり、また、ユーザ操作に依存することなく、各字幕部分の連続的な再生が可能となる。
【００４４】
この場合、字幕部分毎の映像データは、この字幕部分の動画映像から得られた静止画映像であり、字幕部分毎にその字幕データと共に静止画の映像データを所定時間継続表示することにより、再生表示された内容をより一層容易に把握することが可能となる。ここで、字幕部分の動画映像から静止画映像を生成する際に、字幕検出後に最初に出現するＩフレームを静止画映像として抽出することによって動画映像から静止画映像を生成することにより、動画映像から静止画映像への変換を効率良く行うことができる。
また、字幕データ、映像データを継続表示する所定時間は、文字数テーブルＴＢを参照することによって字幕データを構成する文字数に基づいて決定された再生時間であり、文字数に比例して再生時間を長くすることができ、実状に即したものとなる。
【００４５】
デジタル放送受信して動画録画する際に、受信した放送内容のデコード処理時に当該受信内容から映像と字幕を分離しながら字幕部分を順次特定すると共に、この字幕部分毎にその部分の動画映像から静止画映像を生成し、この静止画映像データに対応してその部分の字幕データを字幕テーブルＴＡに記憶管理しておくことにより、録画内容の再生時には、動画録画ファイルＲＦの逐次再生に代わって字幕部分毎に映像データと字幕データを字幕テーブルＴＡから読み出して再生表示するだけでよく、能率のよい再生が可能となる。
【００４６】
字幕部分毎にその字幕データと映像データを再生表示する場合に、ユーザ操作（送り操作あるいは戻し操作）によって任意の字幕部分が指定される毎に、指定された字幕部分の字幕データと映像データとを読み出して再生表示することにより、ユーザにとって不要な字幕部分をジャンプしたり、重要な字幕部分を何回も再生表示させることが可能となり、利便性が向上する。
【００４７】
デジタル放送受信して動画録画する際に、当該受信内容から映像と字幕を分離しながら字幕部分を順次特定すると共に、この字幕部分毎にその部分の動画映像の録画位置を特定する録画位置指定時間を字幕テーブルＴＡに記憶管理しておき、録画内容の再生時に、字幕部分毎の録画位置指定時間に基づいて動画録画ファイルＲＦの該当する位置から動画映像を順次読み出して再生表示することにより、字幕部分毎にその動画映像の再生が可能となる。
この動画映像の再生表示中に、再生中止を指示する中止操作が行われた際には、それ以降の字幕部分の「字幕データ」と「映像データ」を読み出して再生表示することにより、動画映像の再生からダイジェスト再生に変更することができる。
【００４８】
デジタル放送受信して動画録画する際に、字幕部分毎にその部分の動画映像の録画位置を特定する情報（表示時間）と、当該部分の動画映像から生成した静止画映像データをその部分の字幕データに対応付けて字幕テーブルＴＡに記憶管理しておき、録画内容の再生時に、「１：動画再生」、「２：静止画ダイジェスト再生」のメニュー画面を表示し、「１：動画再生」が選択された場合には、字幕部分に対応して記憶されている表示時間に基づいて動画録画ファイルＲＦから当該部分の動画映像を読み出して再生表示し、「２：静止画ダイジェスト再生」が選択された場合には、字幕部分に対応して記憶されている静止画映像を字幕テーブルＴＡから読み出して再生表示することにより、ユーザの希望に応じて字幕部分毎に動画再生と静止画とを任意に切り替えることができる。
【００４９】
なお、上述した実施例においては、予約録画については、言及していないが、予約日時に達した際に、ユーザ操作による録画と同様の動作が行うようすればよい。すなわち、録画指示操作の有無をチェックするほか（図６のステップＳ６）、予約日時に達したか否かをチェックする判断ステップを図６に追加すれば、予約録画の場合もユーザ操作による録画と同様の動作を行うことができる。
【００５０】
また、上述した実施例においては、テレビ起動の指示操作に応じて実行開始されるＴＶアプリケーション処理で録画再生処理を実行するようにしたが、ＴＶアプリケーション処理から切り離して別々のアプリケーションで録画再生処理を行うようにしてもよい。
また、字幕部分毎に字幕テーブルＴＡから「静止画映像データ」と「字幕データ」を読み出しダイジェスト再生する場合に、その部分の音声出力をカットするようにしたが、字幕部分毎に音声データ、音楽データを字幕テーブルＴＡに記録するようにして音声出力も併せて行うようにしてもよい。
【００５１】
上述した実施例においては、字幕テーブルＴＡに「録画位置指定時間」を記憶するようにしたが、「録画位置指定時間」を記憶する代わりに、この字幕部分毎にその録画開始位置、録画終了位置を記憶するようにしてもよい。また、上述した実施例においては、文字数テーブルＴＢを参照して字幕部分毎の再生時間を決定するようにしたが、字幕部分の長さに応じてその部分の再生時間を決定するようにしてもよく、更には、字幕部分毎の再生時間を一定時間としてもよい。
【００５２】
上述した実施例においては、デジタル放送の受信録画時に動画録画と共に字幕テーブルＴＡを作成するようにしたが、録画終了後において、動画録画ファイルＲＦから字幕テーブルＴＡを作成するようにしてもよい。すなわち、動画録画ファイルＲＦの内容を読み出す際に、映像データから分離された文字データから字幕部分を特定し、その字幕部分の動画映像から「静止画映像データ」を生成すると共に「録画位置指定時間」を求め、この「静止画映像データ」と「録画位置指定時間」をその部分の「字幕データ」に対応付けて字幕テーブルＴＡに記憶しておき、この字幕テーブルＴＡの内容を字幕部分毎に読み出して再生表示するようにしてもよい。
【００５３】
また、上述のように録画終了後に動画録画ファイルＲＦから字幕テーブルＴＡを作成する場合に限らず、録画再生時に動画録画ファイルＲＦから静止画ダイジェストを生成して出力するようにしてもよい。つまり、録画再生時に動画録画ファイルＲＦの内容を読み出す際に、映像データから分離された文字データから字幕部分を特定し、その字幕部分の動画映像から「静止画映像データ」を生成すると共に「録画位置指定時間」を求め、この字幕部分の「静止画映像データ」と「字幕データ」を「録画位置指定時間」分表示する動作を字幕部分毎に繰り返すようにしてもよい。
【００５４】
上述した実施例においては、デジタル放送を受信録画した場合のダイジェスト再生を例示したが、デジタル放送の録画に限らず、インターネットあるいは外部記録メディア３から外部供給された映画コンテンツを再生する場合にも、上述と同様に、動画コンテンツの内容を読み出す際に、映像データから分離された文字データから字幕部分を特定し、その字幕部分の動画映像から「静止画映像データ」を生成し、この「静止画映像データ」をその部分の「字幕データ」に対応付けて字幕テーブルＴＡに記憶しておき、この字幕テーブルＴＡの内容を字幕部分毎に読み出して再生表示するようにしてもよい。
【００５５】
また、上述のようにコンテンツ再生時に字幕テーブルＴＡを作成する場合に限らず、コンテンツ再生時に動画コンテンツから静止画ダイジェストを生成して出力するようにしてもよい。つまり、動画コンテンツの内容を読み出す際に、映像データから分離された文字データから字幕部分を特定し、その字幕部分の動画映像から「静止画映像データ」を生成し、この字幕部分の「静止画映像データ」と「字幕データ」とを対応付けて表示する動作を字幕部分毎に繰り返すようにしてもよい。
【００５６】
その他、映像再生機能付きの携帯電話装置に限らず、例えば、映像再生機能付きのＰＤＡ・電子カメラ・電子腕時計などの携帯端末装置であっても同様に適用可能であり、更に、携帯端末装置に限らず、据え置型の映像プレイヤー装置であってもよい。
【図面の簡単な説明】
【００５７】
【図１】映像再生装置として適用したテレビ受信録画再生機能付き携帯電話装置の基本的な構成要素を示したブロック図。
【図２】テレビ放送受信部１３の構成を示したブロック図。
【図３】装置本体を構成する２つの筐体の位置関係に応じて変化するスタイルを示し、（Ａ）は、表示部筐体１６と操作部筐体１７とが重なり合って閉じた状態から表示部筐体１６を開いた状態（オープンスタイル）を示し、（Ｂ）は、（Ａ）の状態から表示部筐体１６を１８０°回転させた状態（ビューワスタイル）を示した図。
【図４】動画録画ファイルＲＦとそれに対応する字幕テーブルＴＡを説明するための図で、（Ａ）は、字幕テーブルＴＡの内容を示し、（Ｂ）は、動画録画ファイルＲＦの内容を示した図。
【図５】文字数テーブルＴＢを説明するための図。
【図６】テレビ起動の指示操作に応じて実行開始されるＴＶアプリケーション処理を示したフローチャート。
【図７】図６に続く、フローチャート。
【図８】図６に続く、フローチャート。
【図９】図８に続く、フローチャート。
【図１０】図９に続く、フローチャート。
【符号の説明】
【００５８】
１  ＣＰＵ
２  記憶部
３  外部記録メディア
９  表示制御部
１０  メイン表示部
１２  キー操作部
１３  テレビ放送受信部
１３Ａ  チューナ
１３Ｂ  多重化信号分離部
１３Ｃ  映像信号デコーダ部
１３Ｄ  音声信号デコーダ部
１３Ｅ  文字信号デコーダ部
１４  サウンドスピーカ
１５  スタイル検出部
ＲＦ  動画録画ファイル
ＴＡ  字幕テーブル
ＴＢ  文字数テーブル
【図１】
2008085946.tif 000003
【図２】
2008085946.tif 000004
【図３】
2008085946.tif 000005
【図４】
2008085946.tif 000006
【図５】
2008085946.tif 000007
【図６】
2008085946.tif 000008
【図７】
2008085946.tif 000009
【図８】
2008085946.tif 000010
【図９】
2008085946.tif 000011
【図１０】
2008085946.tif 000012